(57)【特許請求の範囲】
【請求項１】
植栽用土壌を通す多数の透孔を有する網状又は簀子状に形成された囲い面を備え、該囲い面が上方へ行くに従って内部が狭くなるよう錐状に傾斜して立上がっているとともに上面が開口している植栽用補強枠を法面に据え付ける工程と、
植栽用土壌を上記植栽用補強枠にモルタルガンによって吹き付けて該植栽用補強枠の内部に充填するとともに該植栽用補強枠の外側に盛ることによって上記法面から盛り上がった植栽用土壌基盤を形成する工程と、
上記植栽用土壌基盤の植栽用補強枠の内部に該植栽用補強枠の上面の開口から草木を植え付ける工程とを順に行なうことを特徴とする法面緑化工法。
【請求項２】
法面に沿って金網を張設する工程と、
植栽用土壌を通す多数の透孔を有する網状又は簀子状に形成された囲い面を備え、該囲い面が上方へ行くに従って内部が狭くなるよう錐状に傾斜して立上がっているとともに上面が開口している植栽用補強枠を上記金網に固定する工程と、
上記金網及び植栽用補強枠に、種子と人工土壌とを混合してなる植栽用土壌をモルタルガンによって吹き付けることにより、上記金網が埋まるように上記法面に土壌層を形成するとともに、上記植栽用補強枠が埋まるように当該土壌層から盛り上がった植栽用土壌基盤を形成する工程と、
上記植栽用土壌基盤の植栽用補強枠の内部に該植栽用補強枠の上面の開口から草木を植え付ける工程とを順に行なうことを特徴とする法面緑化工法。
【請求項３】
請求項１又は請求項２に記載されている法面緑化工法において、
上記植栽用補強枠に外方へ突出した固定ピンが設けられていて、
上記植栽用土壌基盤を形成した後に、ピン穴を備え当該植栽用土壌基盤に草がはえることを阻止するための土壌カバーを、該ピン穴に上記植栽用補強枠の固定ピンを通しながら上記植栽用土壌基盤に被せ、該固定ピンを上記囲い面及び上面のいずれかの面に沿うように折り曲げることによって該土壌カバーを上記植栽用土壌基盤に固定し、
上記植栽用土壌基盤の植栽用補強枠の内部に草木を植え付ける工程では、上記土壌カバーの植栽用補強枠上面側の部位に穴を明け、該穴から草木を植え付けることを特徴とする法面緑化工法。
【請求項４】
請求項１に記載されている法面緑化工法に用いる植栽用補強枠であって、
上記植栽用土壌を通す多数の透孔を有する網状又は簀子状に形成された囲い面を備え、該囲い面が上方へ行くに従って内部が狭くなるよう錐状に傾斜して立上がっているとともに、上面が草木を上方から植え付けられるように開口していることを特徴とする植栽用補強枠。
【請求項５】
請求項４に記載されている植栽用補強枠において、
上記法面に固定するための下方へ突出したアンカーを備えていることを特徴とする植栽用補強枠。
【請求項６】
請求項２に記載されている法面緑化工法に用いる植栽用補強枠であって、
上記植栽用土壌を通す多数の透孔を有する網状又は簀子状に形成された囲い面を備え、該囲い面が上方へ行くに従って内部が狭くなるよう錐状に傾斜して立上がっているとともに、上面が草木を上方から植え付けられるように開口している補強枠本体と、
上記補強枠本体に設けられ、上記法面に沿って敷設される金網の網目に掛け止めされるフックとを備えていることを特徴とする植栽用補強枠。
【請求項７】
請求項３に記載されている法面緑化工法に用いる植栽用補強枠であって、
上記植栽用土壌を通す多数の透孔を有する網状又は簀子状に形成された囲い面を備え、該囲い面が上方へ行くに従って内部が狭くなるよう錐状に傾斜して立上がってているとともに、上面が草木を上方から植え付けられるように開口している補強枠本体と、
上記補強枠本体より外方へ突設され、上記土壌カバーのピン穴に通し上記囲い面及び上面のいずれかの面に沿うように折り曲げられることによって該土壌カバーを上記補強枠本体に係止するため固定ピンとを備えていることを特徴とする植栽用補強枠。
【請求項８】
請求項４乃至請求項７のいずれか一に記載されている植栽用補強枠において、
法面を横方向に延びる山側の一面と、該山側の面の両端から当該法面を下るにつれて互いに漸次近付くようにＶ字状に設けられた谷側の二面との計三面によって三角筒状に形成されていることを特徴とする植栽用補強枠。
【請求項９】
請求項８に記載されている植栽用補強枠において、
上記谷側のＶ字状に設けられた２面に上記囲い面が設けられ、上記山側の面が開口していることを特徴とする植栽用補強枠。
【請求項１０】
植栽用土壌を通す多数の透孔を有する網状又は簀子状に形成された囲い面を備えているとともに上面が開口している植栽用補強枠を法面に据え付ける工程と、
植栽用土壌を上記植栽用補強枠にモルタルガンによって吹き付けて該植栽用補強枠の内部に充填するとともに該植栽用補強枠の外側に盛ることによって上記法面から盛り上がった植栽用土壌基盤を形成する工程と、
上記植栽用土壌基盤の植栽用補強枠の内部に該植栽用補強枠の上面の開口から草木を植え付ける工程とを順に行なう法面緑化工法であって、
上記植栽用補強枠に外方へ突出した固定ピンが設けられていて、
上記植栽用土壌基盤を形成した後に、ピン穴を備え当該植栽用土壌基盤に草がはえることを阻止するための土壌カバーを、該ピン穴に上記植栽用補強枠の固定ピンを通しながら上記植栽用土壌基盤に被せ、該固定ピンを上記囲い面及び上面のいずれかの面に沿うように折り曲げることによって該土壌カバーを上記植栽用土壌基盤に固定し、
上記植栽用土壌基盤の植栽用補強枠の内部に草木を植え付ける工程では、上記土壌カバーの植栽用補強枠上面側の部位に穴を明け、該穴から草木を植え付けることを特徴とする法面緑化工法。
【請求項１１】
法面に沿って金網を張設する工程と、
植栽用土壌を通す多数の透孔を有する網状又は簀子状に形成された囲い面を備えているとともに上面が開口している植栽用補強枠を上記金網に固定する工程と、
上記金網及び植栽用補強枠に、種子と人工土壌とを混合してなる植栽用土壌をモルタルガンによって吹き付けることにより、上記金網が埋まるように上記法面に土壌層を形成するとともに、上記植栽用補強枠が埋まるように当該土壌層から盛り上がった植栽用土壌基盤を形成する工程と、
上記植栽用土壌基盤の植栽用補強枠の内部に該植栽用補強枠の上面の開口から草木を植え付ける工程とを順に行なう法面緑化工法であって、
上記植栽用補強枠に外方へ突出した固定ピンが設けられていて、
上記植栽用土壌基盤を形成した後に、ピン穴を備え当該植栽用土壌基盤に草がはえることを阻止するための土壌カバーを、該ピン穴に上記植栽用補強枠の固定ピンを通しながら上記植栽用土壌基盤に被せ、該固定ピンを上記囲い面及び上面のいずれかの面に沿うように折り曲げることによって該土壌カバーを上記植栽用土壌基盤に固定し、
上記植栽用土壌基盤の植栽用補強枠の内部に草木を植え付ける工程では、上記土壌カバーの植栽用補強枠上面側の部位に穴を明け、該穴から草木を植え付けることを特徴とする法面緑化工法。
【請求項１２】
請求項１０又は請求項１１に記載されている法面緑化工法に用いる植栽用補強枠であって、
上記植栽用土壌を通す多数の透孔を有する網状又は簀子状に形成された囲い面を備えているとともに、上面が草木を上方から植え付けられるように開口している補強枠本体と、
上記補強枠本体より外方へ突設され、上記土壌カバーのピン穴に通し上記囲い面及び上面のいずれかの面に沿うように折り曲げられることによって該土壌カバーを上記補強枠本体に係止するため固定ピンとを備えていることを特徴とする植栽用補強枠。
【発明の詳細な説明】
【０００１】
【産業上の利用分野】
本発明は、法面緑化工法及び該工法に用いる植栽用補強枠に関する。
【０００２】
【従来の技術】
道路工事や治山工事、土地造成工事などが行なわれると、それに伴って草木の活着が困難な硬い地盤ないしは岩盤が露出した法面ができることがある。このような緑化困難な法面については環境保全の面から何らかの対策をとることが望まれる。
【０００３】
これに対して、特開昭５７−１２７０１９号公報には、当該法面に沿って金網（ラス）を張り、その上から客土を吹付けて所定厚さの客土層を形成し、該客土層に苗木を植え付けていくことにより、該法面の緑化を図る方法が記載されている。また、実公昭５９−３００６１号公報には、エキスパンドメタルやパンチングメタル等の網材を折り曲げて形成した保持枠を上記法面にアンカーピンによって固定し、該保持枠に植栽用客土袋を収容して、該客土袋の上面を除く法面にラスの張設及びモルタル又はコンクリートの吹付けを行なうことにより、法面に部分的に植栽を行なうことができるようにすることが記載されている。
【０００４】
さらに、実公平２−７９６７号公報には、種子付シートが張り付けられた金網を、法面との間に横方向に延びるＶ字状の植栽用溝ができるように該法面に沿って張り、該植栽用溝に客土を充填してこれに苗木を植え付けることが記載されている。
【０００５】
【発明が解決しようとする課題】
しかし、法面に金網を張って客土層を形成し、該客土層に苗木を植え付けていくという手段では、該客土層として１０ｃｍ程度の厚さのものまでしか形成することができないため、苗木の活着には充分と言えない場合もある。また、客土袋保持枠に客土袋を収容して、これに苗木を植え付けるという手段では、客土袋を法面に沿って運び上げる必要があり、広い法面に多数の苗木を植え付けるには多大の労力を要することになる。しかも、客土袋保持枠を覆うために別途モルタル等の吹付けを要する。さらに、種子付シートが張り付けられた金網と法面との間にＶ字状の植栽用溝を形成し、該植栽用溝に客土を充填して苗木を植え付けるという手段においても、客土の運搬に多大な労力を要するし、金網が露出したままとなって景観の面でも不利になる。
【０００６】
【課題を解決するための手段及びその作用】
本発明は、このような課題に対して、金網等の透孔を有するラスによって植栽用補強枠を形成し、該植栽用補強枠全体が埋まるようにこれに植栽用土壌を吹付けることによって、苗木の植栽用土壌基盤を特に厚く形成することを可能にし、植栽用土壌基盤の施工の容易化及び景観の向上を図るものである。以下、上記課題を解決する各請求項に係る発明を具体的に説明する。
【０００７】
−請求項１に係る発明−
この発明は、植栽用土壌を通す多数の透孔を有する網状又は簀子状に形成された囲い面を備え、該囲い面が上方へ行くに従って内部が狭くなるよう錐状に傾斜して立上がっているとともに上面が開口している植栽用補強枠を法面に据え付ける工程と、
植栽用土壌を上記植栽用補強枠にモルタルガンによって吹き付けて該植栽用補強枠の内部に充填するとともに該植栽用補強枠の外側に盛ることによって上記法面から盛り上がった植栽用土壌基盤を形成する工程と、
上記植栽用土壌基盤の植栽用補強枠の内部に該植栽用補強枠の上面の開口から草木を植え付ける工程とを順に行なうことを特徴とする法面緑化工法である。
【０００８】
（作用）
当該発明においては、法面に据え付けた植栽用補強枠に植栽用土壌を吹付けることによって、植栽用補強枠の内部への植栽用土壌の充填と、その外側への盛り付けとを同時に行なうことができ、施工が容易になる。特に、上記植栽用土壌を植栽用補強枠の内部に吹付けることによって、該植栽用補強枠の囲い面の透孔を通して植栽用土壌を内部から外側へ食み出させることができ、あるいは植栽用土壌を植栽用補強枠の外側から吹付けることによって、該植栽用補強枠の外側からその内部に植栽用土壌を入れることができ、当該植栽用補強枠の全体を覆うように上記植栽用土壌を法面上に盛ることが容易になる。
【０００９】
しかも、上記植栽用土壌の吹付けにはモルタルガンを用いるから、植栽用土壌を貯蔵した土壌タンクを法面下の平地に置きそこからホースを法面の該当箇所に延設して植栽用土壌の吹付けを行なうことができ、植栽用土壌の運搬の手間を省くことができる。
【００１０】
また、上記植栽用補強枠の囲い面に多数の透孔が設けられているから、得られる植栽用土壌基盤は植栽用補強枠内部の植栽用土壌と外側の植栽用土壌とが透孔を介して一体に結合して盛り上がったものになり、この特別に厚く盛られた植栽用土壌が雨水や風によって流失ないしは飛散することが防がれる。
【００１１】
その上、上記植栽用土壌を植栽用補強枠の外側にも盛るようにしているから、植栽用補強枠自体を大きくすることなく該土壌を多量に盛り上げることができ、植栽に有利になるとともに、植栽用補強枠を上記植栽用土壌によって覆うことができるから、モルタル等を別途吹付ける必要はなく景観の面でも有利になる。
【００１２】
そうして、当該発明においては、囲い面が錐状に傾斜して立上がっているから、植栽用土壌基盤の土壌のずれ落ち防止に有利であり、また、当該植栽用補強枠の多数を運搬する場合に、これらを互いに嵌め合わせて積み重ねることができ、荷姿が小さくなって運搬が容易になる。
【００１３】
ここに、上記植栽用土壌としては、通常の土壌の他、土壌改質剤が含まれたもの、人工土壌（おが屑や藁の粉砕物、製紙工場のパルプ廃材、肥料及び糊を混合したもの等）、あるいはこのような土壌と種子とを水で練ったものなどいずれをも採用することができる。
【００１４】
−請求項２に係る発明−
この発明は、法面に沿って金網を張設する工程と、
植栽用土壌を通す多数の透孔を有する網状又は簀子状に形成された囲い面を備え、該囲い面が上方へ行くに従って内部が狭くなるよう錐状に傾斜して立上がっているとともに上面が開口している植栽用補強枠を上記金網に固定する工程と、
上記金網及び植栽用補強枠に、種子と人工土壌とを混合してなる植栽用土壌をモルタルガンによって吹き付けることにより、上記金網が埋まるように上記法面に土壌層を形成するとともに、上記植栽用補強枠が埋まるように当該土壌層から盛り上がった植栽用土壌基盤を形成する工程と、
上記植栽用土壌基盤の植栽用補強枠の内部に該植栽用補強枠の上面の開口から草木を植え付ける工程とを順に行なうことを特徴とする法面緑化工法である。
【００１５】
（作用）
当該発明の場合、請求項１に係る発明と同様の作用が得られるとともに、法面に張られた金網への植栽用土壌の吹付けによる土壌層の形成と、植栽用補強枠への植栽用土壌の吹付けによる植栽用土壌基盤の形成とを同時に行なうことができ、施工が迅速且つ簡単なものになる。また、当該植栽用土壌には種子が含まれているから、上記草木の植え付けによる法面の緑化を図りながら、上記種子の発芽によって法面全体の緑化を図ることができる。
【００１６】
−請求項３に係る発明−
この発明は、上記請求項１又は請求項２に記載されている法面緑化工法において、
上記植栽用補強枠に外方へ突出した固定ピンが設けられていて、
上記植栽用土壌基盤を形成した後に、ピン穴を備え当該植栽用土壌基盤に草がはえることを阻止するための土壌カバーを、該ピン穴に上記植栽用補強枠の固定ピンを通しながら上記植栽用土壌基盤に被せ、該固定ピンを上記囲い面及び上面のいずれかの面に沿うように折り曲げることによって該土壌カバーを上記植栽用土壌基盤に固定し、
上記植栽用土壌基盤の植栽用補強枠の内部に草木を植え付ける工程では、上記土壌カバーの植栽用補強枠上面側の部位に穴を明け、該穴から草木を植え付けることを特徴とする法面緑化工法である。
【００１７】
（作用）
当該発明においては、土壌カバーのピン穴に植栽用補強枠の固定ピンを通して折り曲げることにより土壌カバーを植栽用補強枠に係止するようにしたから、土壌カバーの固定が容易になるとともに、土壌カバーを植栽用土壌基盤に確実に固定することができ、これによって草木の植栽をするまでの間、植栽用土壌に草が生えることを阻止することができる。そして、上記土壌カバーに穴を明けて草木の植栽をするようにしたから、該植栽後も植栽用土壌に草が生えることを阻止することができ、草木の活着に有利になる。
【００１８】
すなわち、草木の植栽は、上記植栽用補強枠に植栽用土壌を吹付けてから半年ないしは１年を経過した後に行なわれることがあるが、上記土壌カバーを設けない場合、当該植栽を行なうまでに植栽用土壌に草が生い茂り、植栽が難しいものになることがある。また、草木の植栽を行なっても草の成長によって栄養分を取られ該草木の活着が遅くなるおそれがある。
【００１９】
これに対して、上記土壌カバーは植栽用土壌の表面を草が上方へ成長できないように覆うことによって、また、植栽用土壌への日光の照射を遮ることによって草が植栽用土壌に生えることを阻止する。この場合、土壌カバーは緑化という目的から緑色のものであることが望ましい。
【００２０】
−請求項４に係る発明−
この発明は、上記請求項１に記載されている法面緑化工法に用いる植栽用補強枠であって、
上記植栽用土壌を通す多数の透孔を有する網状又は簀子状に形成された囲い面を備え、該囲い面が上方へ行くに従って内部が狭くなるよう錐状に傾斜して立上がっているとともに、上面が草木を上方から植え付けられるように開口していることを特徴とする。
【００２１】
（作用）
当該発明の植栽用補強枠は、植栽用土壌を通す多数の透孔を有する網状又は簀子状に形成された囲い面を備え、該囲い面が上方へ行くに従って内部が狭くなるよう錐状に傾斜して立上がっているとともに、上面が草木を上方から植え付けられるように開口しているから、上記請求項１に係る発明を実施することができる。
【００２２】
−請求項５に係る発明−
この発明は、上記請求項４に記載されている植栽用補強枠において、
上記法面に固定するための下方へ突出したアンカーを備えていることを特徴とする植栽用補強枠である。
【００２３】
（作用）
当該発明においては、上記アンカーを法面に埋込むことによって該法面に植栽用補強枠を固定することができる。
【００２４】
−請求項６に係る発明−
この発明は、上記請求項２に記載されている法面緑化工法に用いる植栽用補強枠であって、
上記植栽用土壌を通す多数の透孔を有する網状又は簀子状に形成された囲い面を備え、該囲い面が上方へ行くに従って内部が狭くなるよう錐状に傾斜して立上がっているとともに、上面が草木を上方から植え付けられるように開口している補強枠本体と、
上記補強枠本体に設けられ、上記法面に沿って敷設される金網の網目に掛け止めされるフックとを備えていることを特徴とする。
【００２５】
（作用）
当該発明においては、法面に敷設されている土壌保持用の金網の網目に植栽用補強枠のフックを引っ掛けることによって、該法面に植栽用補強枠を簡単に固定することができ、上記請求項２に係る発明の実施に有利になる。
【００２６】
−請求項７に係る発明−
この発明は、上記請求項３に記載されている法面緑化工法に用いる植栽用補強枠であって、
上記植栽用土壌を通す多数の透孔を有する網状又は簀子状に形成された囲い面を備え、該囲い面が上方へ行くに従って内部が狭くなるよう錐状に傾斜して立上がっているとともに、上面が草木を上方から植え付けられるように開口している補強枠本体と、
上記補強枠本体より外方へ突設され、上記土壌カバーのピン穴に通し上記囲い面及び上面のいずれかの面に沿うように折り曲げられることによって該土壌カバーを上記補強枠本体に係止するため固定ピンとを備えていることを特徴とするものである。
【００２７】
（作用）
当該発明においては、植栽用補強枠に土壌カバーのピン穴に通す固定ピンが設けられているから、上記請求項３に係る発明を実施することができる。
【００２８】
−請求項８に係る発明−
この発明は、上記請求項４乃至請求項７のいずれか一に記載されている植栽用補強枠において、
法面を横方向に延びる山側の一面と、該山側の面の両端から当該法面を下るにつれて互いに漸次近付くようにＶ字状に設けられた谷側の二面との計三面によって三角筒状に形成されていることを特徴とする植栽用補強枠である。
【００２９】
（作用）
当該発明においては、法面を上方から流れ落ちる雨水や地中からわき出て流れ落ちる水を山側の一面によって受けることができ、当該植栽用土壌が盛られた植栽用土壌基盤に自然水を取り入れる上で有利になる。また、上記山側の一面によって受けられた水は谷側の二面に流出しても該面を伝って流れ落ちていくため、当該植栽用土壌基盤の全体に水が行き渡る。
【００３０】
−請求項９に係る発明−
この発明は、上記請求項８に記載されている植栽用補強枠において、
上記谷側のＶ字状に設けられた２面に上記囲い面が設けられ、上記山側の面が開口していることを特徴とする植栽用補強枠である。
【００３１】
（作用）
当該発明においては、植栽用補強枠の山側の一面が開口しているから、植栽用土壌基盤に自然水を取り入れる上でより有利になり、また、谷側の二面が囲い面によって構成されているから、盛られた植栽用土壌の流失防止に有利になる。
【００３２】
−請求項１０に係る発明−
この発明は、植栽用土壌を通す多数の透孔を有する網状又は簀子状に形成された囲い面を備えているとともに上面が開口している植栽用補強枠を法面に据え付ける工程と、
植栽用土壌を上記植栽用補強枠にモルタルガンによって吹き付けて該植栽用補強枠の内部に充填するとともに該植栽用補強枠の外側に盛ることによって上記法面から盛り上がった植栽用土壌基盤を形成する工程と、
上記植栽用土壌基盤の植栽用補強枠の内部に該植栽用補強枠の上面の開口から草木を植え付ける工程とを順に行なう法面緑化工法であって、
上記植栽用補強枠に外方へ突出した固定ピンが設けられていて、
上記植栽用土壌基盤を形成した後に、ピン穴を備え当該植栽用土壌基盤に草がはえることを阻止するための土壌カバーを、該ピン穴に上記植栽用補強枠の固定ピンを通しながら上記植栽用土壌基盤に被せ、該固定ピンを上記囲い面及び上面のいずれかの面に沿うように折り曲げることによって該土壌カバーを上記植栽用土壌基盤に固定し、
上記植栽用土壌基盤の植栽用補強枠の内部に草木を植え付ける工程では、上記土壌カバーの植栽用補強枠上面側の部位に穴を明け、該穴から草木を植え付けることを特徴とする。
【００３３】
（作用）
当該発明においては、法面に据え付けた植栽用補強枠に植栽用土壌を吹付けることによって、植栽用補強枠の内部への植栽用土壌の充填と、その外側への盛り付けとを同時に行なうことができ、施工が容易になる。特に、上記植栽用土壌を植栽用補強枠の内部に吹付けることによって、該植栽用補強枠の囲い面の透孔を通して植栽用土壌を内部から外側へ食み出させることができ、あるいは植栽用土壌を植栽用補強枠の外側から吹付けることによって、該植栽用補強枠の外側からその内部に植栽用土壌を入れることができ、当該植栽用補強枠の全体を覆うように上記植栽用土壌を法面上に盛ることが容易になる。
【００３４】
しかも、上記植栽用土壌の吹付けにはモルタルガンを用いるから、植栽用土壌を貯蔵した土壌タンクを法面下の平地に置きそこからホースを法面の該当箇所に延設して植栽用土壌の吹付けを行なうことができ、植栽用土壌の運搬の手間を省くことができる。
【００３５】
また、上記植栽用補強枠の囲い面に多数の透孔が設けられているから、得られる植栽用土壌基盤は植栽用補強枠内部の植栽用土壌と外側の植栽用土壌とが透孔を介して一体に結合して盛り上がったものになり、この特別に厚く盛られた植栽用土壌が雨水や風によって流失ないしは飛散することが防がれる。
【００３６】
その上、上記植栽用土壌を植栽用補強枠の外側にも盛るようにしているから、植栽用補強枠自体を大きくすることなく該土壌を多量に盛り上げることができ、植栽に有利になるとともに、植栽用補強枠を上記植栽用土壌によって覆うことができるから、モルタル等を別途吹付ける必要はなく景観の面でも有利になる。
【００３７】
そうして、当該発明においては、土壌カバーのピン穴に植栽用補強枠の固定ピンを通して折り曲げることにより土壌カバーを植栽用補強枠に係止するようにしたから、土壌カバーの固定が容易になるとともに、土壌カバーを植栽用土壌基盤に確実に固定することができ、これによって草木の植栽をするまでの間、植栽用土壌に草が生えることを阻止することができる。そして、上記土壌カバーに穴を明けて草木の植栽をするようにしたから、該植栽後も植栽用土壌に草が生えることを阻止することができ、草木の活着に有利になる。
【００３８】
すなわち、草木の植栽は、上記植栽用補強枠に植栽用土壌を吹付けてから半年ないしは１年を経過した後に行なわれることがあるが、上記土壌カバーを設けない場合、当該植栽を行なうまでに植栽用土壌に草が生い茂り、植栽が難しいものになることがある。また、草木の植栽を行なっても草の成長によって栄養分を取られ該草木の活着が遅くなるおそれがある。
【００３９】
これに対して、上記土壌カバーは植栽用土壌の表面を草が上方へ成長できないように覆うことによって、また、植栽用土壌への日光の照射を遮ることによって草が植栽用土壌に生えることを阻止する。この場合、土壌カバーは緑化という目的から緑色のものであることが望ましい。
【００４０】
−請求項１１に係る発明−
この発明は、法面に沿って金網を張設する工程と、
植栽用土壌を通す多数の透孔を有する網状又は簀子状に形成された囲い面を備えているとともに上面が開口している植栽用補強枠を上記金網に固定する工程と、
上記金網及び植栽用補強枠に、種子と人工土壌とを混合してなる植栽用土壌をモルタルガンによって吹き付けることにより、上記金網が埋まるように上記法面に土壌層を形成するとともに、上記植栽用補強枠が埋まるように当該土壌層から盛り上がった植栽用土壌基盤を形成する工程と、
上記植栽用土壌基盤の植栽用補強枠の内部に該植栽用補強枠の上面の開口から草木を植え付ける工程とを順に行なう法面緑化工法であって、
上記植栽用補強枠に外方へ突出した固定ピンが設けられていて、
上記植栽用土壌基盤を形成した後に、ピン穴を備え当該植栽用土壌基盤に草がはえることを阻止するための土壌カバーを、該ピン穴に上記植栽用補強枠の固定ピンを通しながら上記植栽用土壌基盤に被せ、該固定ピンを上記囲い面及び上面のいずれかの面に沿うように折り曲げることによって該土壌カバーを上記植栽用土壌基盤に固定し、
上記植栽用土壌基盤の植栽用補強枠の内部に草木を植え付ける工程では、上記土壌カバーの植栽用補強枠上面側の部位に穴を明け、該穴から草木を植え付けることを特徴とする。
【００４１】
（作用）
当該発明の場合、請求項１０に係る発明と同様の作用が得られるとともに、法面に張られた金網への植栽用土壌の吹付けによる土壌層の形成と、植栽用補強枠への植栽用土壌の吹付けによる植栽用土壌基盤の形成とを同時に行なうことができ、施工が迅速且つ簡単なものになる。また、当該植栽用土壌には種子が含まれているから、上記草木の植え付けによる法面の緑化を図りながら、上記種子の発芽によって法面全体の緑化を図ることができる。
【００４２】
−請求項１２に係る発明−
この発明は、請求項１０又は請求項１１に記載されている法面緑化工法に用いる植栽用補強枠であって、
上記植栽用土壌を通す多数の透孔を有する網状又は簀子状に形成された囲い面を備えているとともに、上面が草木を上方から植え付けられるように開口している補強枠本体と、
上記補強枠本体より外方へ突設され、上記土壌カバーのピン穴に通し上記囲い面及び上面のいずれかの面に沿うように折り曲げられることによって該土壌カバーを上記補強枠本体に係止するため固定ピンとを備えていることを特徴とする。
【００４３】

（作用）
当該発明においては、植栽用補強枠に土壌カバーのピン穴に通す固定ピンが設けられているから、上記請求項１０又は請求項１１に係る発明を実施することができる。
【００４４】
【発明の効果】
請求項１に係る発明によれば、植栽用土壌を通す多数の透孔を有する囲い面を備え、該囲い面が上方へ行くに従って内部が狭くなるよう錐状に傾斜して立上がっているとともに上面が開口している植栽用補強枠を法面に据え付け、植栽用土壌を上記植栽用補強枠にモルタルガンによって吹き付けることによって該植栽用補強枠の内部に充填するとともに該植栽用補強枠の外側に盛ることによって上記法面から盛り上がった植栽用土壌基盤を形成し、該植栽用土壌基盤の植栽用補強枠の内部に該植栽用補強枠の上面の開口から草木を植え付けるようにしたから、植栽用土壌を法面上に簡単に盛り上げることができ、しかも、植栽用土壌の運搬の手間を省くことができ、施工が容易になる。また、得られる植栽用土壌基盤は植栽用補強枠によって雨水や風による流失や飛散が防止され、しかも植栽用土壌基盤の土壌のずれ落ち防止に有利であり、さらに、植栽用補強枠自体を大きくすることなく植栽用土壌を多量に盛り上げることができ、植栽に有利になるとともに、植栽用補強枠を上記植栽用土壌によって覆うことができるから、モルタル等を別途吹付ける必要はなく景観の面でも有利になる。また、植栽用補強枠の多数を運搬する場合に、これらを互いに嵌め合わせて積み重ねることができ、荷姿が小さくなって運搬が容易になる。
【００４５】
請求項２に係る発明によれば、法面に沿って金網を張設し、該金網に、植栽用土壌を通す多数の透孔を有する囲い面を備え、該囲い面が上方へ行くに従って内部が狭くなるよう錐状に傾斜して立上がっているとともに上面が開口している植栽用補強枠を固定し、この金網及び植栽用補強枠に、種子と人工土壌とを混合してなる植栽用土壌をモルタルガンによって吹き付けることにより、上記金網が埋まるように上記法面に土壌層を形成するとともに、上記植栽用補強枠が埋まるように当該土壌層から盛り上がった植栽用土壌基盤を形成し、上記植栽用土壌基盤の植栽用補強枠の内部に草木を植え付けるようにしたから、請求項１に係る発明と同様の効果が得られるとともに、法面への土壌層の形成と植栽用土壌基盤の形成とを迅速且つ簡単に行なうことができ、しかも上記草木の植え付けによる法面の緑化を図りながら、上記種子の発芽によって法面全体の緑化を図ることができる。
【００４６】
請求項３に係る発明によれば、上記請求項１又は請求項２に記載されている法面緑化工法において、上記植栽用土壌基盤を形成した後に、土壌カバーのピン穴に植栽用補強枠の固定ピンを通しながら該土壌カバーを上記植栽用土壌基盤に被せ、該固定ピンを折り曲げることによって該土壌カバーを上記植栽用土壌基盤に固定し、上記土壌カバーに穴を明け、該穴から草木を植え付けるようにしたから、土壌カバーの固定が容易になるとともに、土壌カバーを植栽用補強枠に確実に固定することができ、植栽用土壌に草が生えることを阻止して草木の活着を確実なものにすることができる。
【００４７】
請求項４に係る発明によれば、植栽用補強枠が、植栽用土壌を通す多数の透孔を有する網状又は簀子状に形成された囲い面を備え該囲い面が上方へ行くに従って内部が狭くなるよう錐状に傾斜して立上がっているとともに上面が草木を上方から植え付けられるように開口しているから、上記請求項１に係る発明を実施して所期の効果を上げることができる。
【００４８】
請求項５に係る発明によれば、植栽用補強枠が下方へ突出したアンカーを備えているから、法面に植栽用補強枠を確実に固定することができ、請求項１に係る発明を実施する上で有利になる。
【００４９】
請求項６に係る発明によれば、植栽用補強枠が、植栽用土壌を通す多数の透孔を有する網状又は簀子状に形成された囲い面を備え該囲い面が上方へ行くに従って内部が狭くなるよう錐状に傾斜して立上がり且つ上面が草木を上方から植え付けられるように開口しているとともに、法面に沿って敷設される金網の網目に掛け止めされるフックを備えているから、植栽用補強枠を法面に簡単に固定することができ、上記請求項２に係る発明を実施する上で有利になるとともに、それによって所期の効果を上げることができる。
【００５０】
請求項７に係る発明によれば、植栽用補強枠が、植栽用土壌を通す多数の透孔を有する網状又は簀子状に形成された囲い面を備え該囲い面が上方へ行くに従って内部が狭くなるよう錐状に傾斜して立上がり且つ上面が草木を上方から植え付けられるように開口しているとともに、土壌カバーのピン穴に通し上記囲い面及び上面のいずれかの面に沿うように折り曲げられることによって該土壌カバーを上記補強枠本体に係止するため固定ピンを備えているから、上記請求項３に係る発明を実施して所期の効果を上げることができる。
【００５１】
請求項８に係る発明によれば、法面を横方向に延びる山側の一面と、該山側の面の両端から上記法面を下るにつれて互いに漸次近付くようにＶ字状に設けられた谷側の二面との計三面によって三角筒状に形成されているから、植栽用土壌基盤に自然水を取り入れ易くなるとともに、該植栽用土壌基盤の全体に水を行き渡らせることができるようになる。
【００５２】
請求項９に係る発明によれば、谷側のＶ字状に設けられた２面に囲い面が設けられ、山側の面が開口しているから、植栽用土壌基盤に自然水を取り入れる上でより有利になるとともに、植栽用土壌の流失防止に有利になる。
【００５３】
請求項１０及び請求項１１の各発明によれば、請求項３に係る発明同様に、植栽用土壌基盤を形成した後に、土壌カバーのピン穴に植栽用補強枠の固定ピンを通しながら該土壌カバーを上記植栽用土壌基盤に被せ、該固定ピンを折り曲げることによって該土壌カバーを上記植栽用土壌基盤に固定し、上記土壌カバーに穴を明け、該穴から草木を植え付けるようにしたから、土壌カバーの固定が容易になるとともに、土壌カバーを植栽用補強枠に確実に固定することができ、植栽用土壌に草が生えることを阻止して草木の活着を確実なものにすることができる。
【００５４】
請求項１２に係る発明によれば、植栽用補強枠が、植栽用土壌を通す多数の透孔を有する網状又は簀子状に形成された囲い面を備え且つ上面が草木を上方から植え付けられるように開口しているとともに、土壌カバーのピン穴に通し上記囲い面及び上面のいずれかの面に沿うように折り曲げられることによって該土壌カバーを上記補強枠本体に係止するため固定ピンを備えているから、上記請求項１０又は請求項１１に係る発明を実施して所期の効果を上げることができる。
【００５５】
【実施例】
以下、本発明の実施例を図面に基づいて説明する。
【００５６】
−実施例１−
（植栽用補強枠の構成）
図１において、１は植栽用補強枠、２は法面、３は該法面２に張られた菱形金網であり、上記植栽用補強枠１は金網３に固定することによって法面２に据え付けられている。
【００５７】
上記植栽用補強枠１は、上記法面２を横方向（水平方向）に延びる山側の一面と、該山側の面の両端から当該法面２を下るにつれて互いに漸次近付くようにＶ字状に設けられた谷側の二面との三面により、上方へ行くに従って内部が狭くなるよう錐状に傾斜して立上がった三角錐台状に形成されている。そして、図２にも示すように、上記谷側のＶ字状に設けられた２面は網状の囲い面４，５によって形成され、上記山側の面は全面にわたって開口した開口面６によって形成されている。また、植栽用補強枠１の上面は草木を上方から植え付けられるように開口し、さらに下面も開口している。また、三方の隅には下方へ突出したフック７，７，８が設けられている。
【００５８】
上記囲い面４は、図４に示すように台形状の金属製枠４ａにメタルラス４ｂが張設されてなる網部材によって形成されていて、植栽用補強枠１の内部に充填される植栽用土壌と外側の植栽用土壌とが合体する多数の透孔４ｃを備えている。この網部材の山側の端部には上記フック７が上記枠４ａの斜辺から直線状に延長されて斜め下方へ突出している。フック７は植栽用補強枠１を上記金網３の網目に掛けて法面２に固定するためのものであり、下端部に法面２に沿って谷側へ突出した掛止部７ａを備えている。
【００５９】
上記囲い面５も、図５に示すように台形状の金属製枠５ａにメタルラス５ｂが張設されてなる網部材によって形成されていて、囲い面４と同様の透孔５ｃを備えている。この網部材の場合は、その谷側の端部に上記フック８が上記枠５ａの斜辺から直線状に延長されて斜め下方へ突出している。このフック８は植栽用補強枠１を上記金網３の網目に掛けて法面２に固定するためのものであり、下端部に法面２に沿って谷側へ突出した掛止部８ａを備えている。
【００６０】
上記開口面６は、図６に示すように台形状の金属製枠部材６ａによって形成されていて，一端に上記囲い面４のものと同様のフック７が設けられている。
【００６１】
上記植栽用補強枠１は、上記２つの網部材と１つの枠部材６ａとを互いの枠が重なるよう合わせ、該合わせ部を溶接して形成されている。この実施例の植栽用補強枠１では、上面開口は１辺の長さ２００mmの正三角形であり、下面開口は１辺の長さ４００m の正三角形である。また、植栽用補強枠１の上記フック７，７，８を除く部分の鉛直高さは１００mm、フック７，７，８の鉛直方向の突出高さは５０mmであり、その掛止部７ａ，７ａ，８ａの長さは３０mmである。また、上記枠４ａ，５ａ、枠部材６ａ及びフック７，７，８には直径３．２mmの鉄線を使用し、メタルラス４ｂ，５ｂの透孔４ｃ，５ｃは、３０mm×５０mmの菱形に形成されている。但し、以上の寸法は一例であって、適宜設計変更可能である。
【００６２】
（法面緑化工法）
法面２の緑化にあたっては以下の工程を順に行なう。
【００６３】
＜金網の張設工程＞
上記法面２に金網３を張り、該金網３を法面２にアンカー１１によって固定する。
【００６４】
＜植栽用補強枠の固定工程＞
上記金網３の網目に上記植栽用補強枠１の３本のフック７，７，８を通し、該植栽用補強枠１を谷側へずらしてフック７，７，８を金網３の網目に掛けることにより、多数の植栽用補強枠１を適宜の間隔で金網３に固定していく。その際、法面２の勾配が急である場合には、法面２の上方よりロープを垂らし、このロープに作業者を固定しながら、植栽用補強枠１の固定作業を行なう。
【００６５】
＜植栽用土壌の吹付け工程＞
上記金網３及び植栽用補強枠１に、植栽用土壌をモルタルガンによって吹付けることにより、図７に示すように、上記金網３が埋まるように上記法面２に土壌層１２を形成するとともに、上記植栽用補強枠１が埋まるように当該土壌層１２から盛り上がった植栽用土壌基盤１３を形成する。
【００６６】
植栽用土壌の吹付けにあたっては、土壌タンクを法面２の下方の平地に置きそこからホースを法面２に延ばし、上記モルタルガンによって土壌タンクの植栽用土壌を圧送し、上記金網３及び植栽用補強枠１に吹付けることになる。
【００６７】
上記植栽用土壌としては、種子と人工土壌とを水で練ったものを用いることが好適である。用いる種子としては、芝その他の草類が好適であるが、その土地の気候に応じて適宜選択することになる。人口土壌としては、おが屑や藁の粉砕物、肥料及び糊を混合したものを用いることができる。
【００６８】
＜植栽工程＞
上記植栽用土壌基盤１３に植栽用補強枠１の内部に達する穴を開け、苗木１４を植え付けていく。この植栽は、先の植栽用土壌の吹付けによって草が茂って土壌槽１２及び植栽用土壌基盤１３が安定なものになった後（例えば１年後）に行なう。苗木１４は、その幹が鉛直方向になるように植え付けてもよいが、図７に示すように、法面２に対して略垂直になるように植え付ける。
【００６９】
従って、本例の場合は、植栽用土壌をモルタルガンによって吹付けて土壌層１２及び植栽用土壌基盤１３を形成するから、植栽用補強枠１の内部への土壌の充填と、その外側への盛り付けとを別工程で行なう必要がないとともに、土壌層１２の形成と植栽用土壌基盤１３の形成とを同時に行なうことができ、しかも植栽用土壌を別途運搬する必要がなく、施工を簡単に且つ迅速に行なうことができる。また、植栽用補強枠１の外側にも植栽用土壌を盛ることができるから、植栽用補強枠１自体はそれほど大きくなくとも植栽用土壌基盤１３を大きなものにすることができ、植栽に有利になる。
【００７０】
しかして、植栽用土壌基盤１３において、植栽用補強枠１の内部の植栽用土壌と外側の植栽用土壌とが囲い面４，５の透孔４ｃ，５ｃを介して一体に結合し、雨水や風によって外側の植栽用土壌が流失ないしは飛散することが防がれる。また、囲い面４，５が上方へ行くに従って内部が狭くなるよう錐状に傾斜して立上がっているから、植栽用土壌基盤１３の傾斜して盛り上がった植栽用土壌のずれ落ち防止に有利である。
【００７１】
法面２を上方から流れ落ちる雨水や地中からわき出て流れ落ちる水は、植栽用補強枠１の山側の面で受けられ、開口面６から植栽用補強枠１内部に入る。この内部に入った水は谷側二面に流出しても該囲い面４，５を伝って流れ落ちていくため、当該植栽用土壌基盤の全体に水が行き渡り、しかも、その際の植栽用土壌の流失を囲い面４，５が防止する。
【００７２】
苗木１４は、その成長に伴って根が囲い面４，５の透孔４ｃ，５ｃから食み出し、さらに数年が経過すると根が透孔４ｃ，５ｃよりも太くなる場合があるが、その時には植栽用補強枠１自体が腐蝕してしまうから、根の成長を阻害することはない。よって、当該苗木１４の成長によって法面２の緑化を図ることができるとともに、土壌層１２では草類の種子の発芽成長により緑化を図ることができる。
【００７３】
−実施例２−
本例は図８に示されており、植栽用補強枠２１を四角錐台状に形成したものである。
【００７４】
すなわち、植栽用補強枠２１は、３つの台形状の囲い面２２と法面の山側に配置される１つの台形状の開口面２３との組み合わせによって四角錐台状に形成されている。囲い面２２は、台形状の枠２２ａにその上辺と下辺あるいは斜辺と下辺とを結ぶ多数の縦線材２２ｂとが所定間隔で並設された簀子状のもので形成されており、相隣る縦線材２２ｂ，２２ｂの間が透孔２２ｃに形成されている。開口面２３は台形状の枠部材２３ａによって形成されており、この枠部材２３ａには、その上辺と下辺の各々の中央を結んで下方へ突出した中央フック部材２４と、その両側の各斜辺と下辺とを結んで下方へ突出した両端フック部材２５，２５とが設けられている。これらフック部材２４，２５下端部は谷側へ突出した掛止部２６ａ，２７ａを有するフック２６，２７が形成されている。植栽用補強枠２１の上下の両面は開口している。
【００７５】
上記植栽用補強枠２１の使用方法は実施例１と同じであり、山側から流下する雨水等の自然水の取入れ性や透孔２２ｃの効果が実施例１と多少異なるものになるが、本例においても、基本的には実施例１と同様の効果が得られる。
【００７６】
−実施例３−
本例は図９に示されており、植栽用補強枠３１を円錐台状に形成した点に特徴がある。
【００７７】
すなわち、植栽用補強枠３１は、大・中・小の３つの円形枠３２，３３，３４を一定間隔で周方向に並設された多数の縦線材３５によって連結するとともに、該縦線材３５の間隔よりも広い間隔で周方向に並設された４本のフック用線材３６によって連結することにより、円錐台状に形成されている。４本の相隣るフック用線材３６の間隙が法面の山側に配置される開口面３７を形成し、多数の縦線材３５が配設された部位が囲い面３８を形成している。
【００７８】
上記囲い面３８における相隣る縦線材３５の間隙が透孔３９を形成し、また、上記４本のフック用線材３６は、下部が上記大径の円形枠３２よりも下方へ突出したフック４０を形成しており、下端部に谷側へ突出した掛止部４０ａが設けられている。植栽用補強枠３１の上下の両面は開口している。
【００７９】
当該植栽用補強枠３１の場合は、自然水の取入れ性が若干低くなると考えられるが、実施例２と同様の効果が得られる。
【００８０】
−実施例４−
本例は図１０に示されており、植栽用補強枠４１を円錐台状に形成するとともに、囲い面にメタルラスを用いた点に特徴がある。
【００８１】
すなわち、植栽用補強枠４１は、大・小の円形枠４２，４３を等間隔に配置された３本のフック用線材４４によって連結するとともに、法面の山側の面を除く他の面にメタルラス４５が張設されて、山側の面が開口面４６に形成されており、メタルラス４５が張られた部分が囲い面４７に形成されている。また、メタルラス４５の網目が透孔４８を形成している。さらに、上記フック用線材４４は、下部が上記大径の円形枠４２よりも下方へ突出してアンカー４９を形成しており、該アンカー４９は法面に打ち込まれる。また、植栽用補強枠４１の上下の両面は開口している。
【００８２】
当該植栽用補強枠４１の場合は、自然水の取入れ性が若干低くなると考えられるが、実施例１と同様の効果が得られる。
【００８３】
−実施例５−
本例は図１１に示されており、植栽用補強枠５１の形状に特徴がある。
【００８４】
すなわち、図１１に示すように、植栽用補強枠５１は、台形状の枠５２ａによって形成された山側の開口面５２と、上記枠５２ａよりも幅狭で且つ高さが低い台形状の枠５３ａにメタルラス５３ｂが張設されてなる網部材によって形成された谷側の囲い面５３と、各々山側の開口面５２の側縁と谷側の囲い面５３の側縁との間に配設された四角形状の枠５４ａにメタルラス５４ｂが張設されてなる網部材によって形成された左右の横囲い面５４，５４とを備えた四角錐台状のものであり、山側の開口面５２に対して谷側の囲い面５３が幅狭で且つ高さが低く形成されている。また、植栽用補強枠５１の上下両面は開口している。
【００８５】
−参考例−
本例は図１２及び図１３に示されており、植栽用補強枠６１の囲い面に特徴がある。
【００８６】
すなわち、植栽用補強枠６１は、図１２に示すようにその平面形状が三角形状に形成されているが、各辺は図１３に示すように長手方向に間隔をおいて並設された多数の三角形枠６２の各頂点同士を長手方向に延びる３本の各線材６３によって連結してなる三角筒状に形成されていて、この三辺の各々が相隣る三角形枠６２の間隙を透孔６４とする囲い面６５を構成している。そして、法面の山側に配置される一辺にはその中央及び両端の計３か所に法面の金網に掛止するための下方へ突出したフック６６が設けられている。植栽用補強枠６１の上下両面は開口している。
【００８７】
従って、本例の場合は、囲い面６５が上記三角筒によって形成されているから植栽用土壌の保持力が高くなり、雨水等による流失防止に有利になる。
【００８８】
なお、山側に配置すべき一辺については中央及び両端の３か所のみに三角形枠６２を設けることによって開口させてもよい。
【００８９】
また、上記各辺については、上記三角形枠６２に代えて図１４に示す逆Ｖ字状の線材６７を用いるようにしてもよい。また、山側に配置される一辺についても、そのフック６６の数を増してもよい。
【００９０】
−実施例６−
本例は図１５及び図１６に示されており、実施例１において土壌カバー７０を設ける例である。
【００９１】
すなわち、図１５に示すように、植栽用補強枠１の三方の隅の下端には上方へ突出した可撓性を有する金属製の固定ピン７１が設けられている。一方、土壌カバー７０は、緑色のフェルト材によって形成された矩形状のものであって、上記植栽用補強枠１の固定ピン７１を通すためのピン穴７２が植栽用補強枠１の固定ピン７１の位置に対応させて３か所に形成されている。また、土壌カバー７０の中央には円弧状に切れ目が入れられていて、切れ目の内側部分を起こすことによって植栽用穴７３を形成することができるようになされている。
【００９２】
施工に際しては、実施例１と同様に、法面２への金網３の張設、植栽用補強枠１の固定及び植栽用土壌の吹付け（植栽用土壌基盤の形成）を行なう。植栽用土壌の吹付けに際しては、図１５に示すように、植栽用補強枠１の固定ピン７１を斜め上方へ突出させた状態として、当該吹付けを行なう。固定ピン７１が植栽用土壌に埋もれてしまわないようにするためである。
【００９３】
そうして、図１６に示すように、上記土壌カバー７０のピン穴７２に上記植栽用補強枠１の固定ピン７１を通しながら、該土壌カバー７０を植栽用土壌基盤の上に被せる。そして、上記固定ピン７１を上記植栽用補強枠１の囲い面４，５に沿うように内側へ折り曲げることによって土壌カバー７０を植栽用補強枠１に確実に固定する。
【００９４】
従って、上記植栽用土壌基盤は、土壌カバー７０によって草の成長する空間ができないように覆われているために、また、日光の照射が遮られているために、草が生えることが阻止される。このため、例えば半年ないしは１年を経過した後に苗木の植栽を行なう場合でも、該植栽を草に妨げられることなく簡単に行なうことができるようになる。
【００９５】
上記苗木の植栽は、上記土壌カバー７０の中央の植栽用穴７３を開けて行ない、植栽後も暫くは該土壌カバー７０をそのまま残す。これによって、苗木は雑草に妨げられずに成長することができ、その活着に有利になる。該活着後は土壌カバー７０を除去するようにしてもよい。
【００９６】
なお、上記実施例では植栽に際して植栽用穴７３を直ぐに形成することができるよう土壌カバー７０に予め切れ目を入れておいたが、植栽に際してＶ字状、十文字など適宜の形状の切れ目を入れて植栽用穴を形成するようにしてもよい。
【図面の簡単な説明】
【図１】実施例１の植栽用補強枠と金網とを示す斜視図
【図２】同例の植栽用補強枠の平面図
【図３】同例の植栽用補強枠の側面図
【図４】同例の植栽用補強枠の一方の囲い面の正面図
【図５】同例の植栽用補強枠の他方の囲い面の正面図
【図６】同例の植栽用補強枠の開口面を構成する枠の正面図
【図７】同例の植栽用補強枠の使用状態を示す断面図
【図８】実施例２の植栽用補強枠の斜視図
【図９】実施例３の植栽用補強枠の斜視図
【図１０】実施例４の植栽用補強枠の斜視図
【図１１】実施例５の植栽用補強枠の平面図
【図１２】参考例の植栽用補強枠の平面図
【図１３】同例の植栽用補強枠の構成部材の一部を示す斜視図
【図１４】上記植栽用補強枠の構成部材の他の例を示す斜視図
【図１５】実施例６の植栽用補強枠の据付け状態を示す斜視図
【図１６】同例の植栽用土壌基盤を土壌カバーによって覆った状態を示す斜視図
【符号の説明】
１，２１，３１，    ４１，５１，６１  植栽用補強枠
２  法面
３  金網
４，５，２２，３８，    ４７，５３，６５  囲い面
４ｃ，５ｃ，２２ｃ
３９，４８，６４  透孔
６，２３，３７，          ４６，５２  開口面
７，８，２６，２７，    ４０，４９，６６  フック
１２  土壌層
１３  植栽用土壌基盤
１４  苗木
７０  土壌カバー
７１  固定ピン
７２  ピン穴
【図１】
0003623543.tif 000002
【図２】
0003623543.tif 000003
【図３】
0003623543.tif 000004
【図４】
0003623543.tif 000005
【図５】
0003623543.tif 000006
【図６】
0003623543.tif 000007
【図７】
0003623543.tif 000008
【図８】
0003623543.tif 000009
【図９】
0003623543.tif 000010
【図１０】
0003623543.tif 000011
【図１１】
0003623543.tif 000012
【図１２】
0003623543.tif 000013
【図１３】
0003623543.tif 000014
【図１４】
0003623543.tif 000015
【図１５】
0003623543.tif 000016
【図１６】
0003623543.tif 000017